(57)【要約】【課題】２剤を確実に分離収納できかつ混合操作が容易である２剤混合容器を提供する。【解決手段】容器体２の胴部の下部内に、固定底部４２及び摺動底部５０からなる底部材４０を嵌合して、底部材の上側に第１剤収納室Ａを形成するとともに、基盤７０の外周部から起立した把持用筒部７２を上記胴部の下端部に嵌合させた基部材６８と設け、上記固定底部は、胴部の下部に固定された外筒部４４から上底板部４６を介して内筒部４８を垂下して、外筒部及び内筒部の間に下面開放の第２剤収納室Ｂを形成し、上記摺動底部は、内筒部の下端を閉塞する下底板部５２の外縁から、第２剤収納室を閉塞する環状栓部５６を延出しており、摺動底部の下面から垂下した第１螺筒部６６と、基盤から起立する第２螺筒部７４とを係合させて、基部材を回転させると摺動底部が螺下降して第１剤収納室が第２剤収納室と連通するように形成した。【選択図】図１
2015030477.tif 000002
【特許請求の範囲】
【請求項１】
下端開放の胴部(４)から口頸部(６)を起立した容器体(２)と、
上記口頸部(６)に装着された本体(２０)から胴部(４)下部へ吸い上げ管(２５)を垂下するとともに、本体(２０)からヘッド(３０)を起立した吐出装置(１０)と、
上記胴部(４)の下部内に液密に嵌合された底部材(４０)と、
基盤(７０)の外周部から起立した把持用筒部(７２)を上記胴部の下端部に回転自在に嵌合させた基部材(６８)と、
を具備し、かつ底部材(４０)上方の胴部分内に第１剤収納室(Ａ)を形成しており、
その底部材(４０)は、固定底部(４２)と摺動底部(５０)とからなり、
固定底部(４２)は、上記胴部(４)の下部に固定した外筒部(４４)と、外筒部から上底板部(４６)を介して垂下した内筒部(４８)との間に、下面開放の第２剤収納室(Ｂ)を有しており、
摺動底部(５０)は、上記内筒部(４８)の下端を閉塞する下底板部(５２)と、下底板部の外縁から延出して外筒部(４４)内面又は胴部(４)内面に液密に接するとともに上記第２剤収納室の下面を閉塞する環状栓部(５６)とを有し、かつ胴部(４)に対する摺動底部(５０)の回り留め手段(Ｔ)を設け、
上記摺動底部(５０)から垂下する第１螺筒部(６６)と、上記基盤(７０)から起立する第２螺筒部(７４)とを、第１螺筒部(６６)の下降余地(Ｌｄ)を存して相互に係合させ、胴部(４)に対して基部材(６８)を回転させたときに、固定底部(４２)に対して摺動底部(５０)が螺下降して第２剤収納室(Ｂ)と第１剤収納室(Ａ)とが連通することを特徴とする２剤混合容器。
【請求項２】
上記環状栓部(５６)は、下底板部(５２)の外端から起立する連結筒部(５４)を介して外方突出するリング状栓板部(５８)で、第２剤収納室(Ｂ)の下面を離脱可能に閉塞するとともに、その連結筒部(５４)を上記内筒部(４８)の外面に液密にかつ摺動可能に嵌合させており、
連結筒部(５４)乃至内筒部(４８)の各内面と下底板部(５２)の上面とで液溜め凹部(Ｒ)を形成し、この液溜め凹部(Ｒ)内に上記吸い上げ管(２５)の先部を挿入させたことを特徴とする、請求項１記載の剤混合容器。
【請求項３】
上記リング状栓板部(５８)の外端部に付設したシール筒(６０)を、上記外筒部(４４)の内面に一定の上下範囲で摺動可能に嵌着させることで、底部材(４０)及び基部材(６８)で、上記胴部(４)へ装着する前の状態において、第２剤収納室(Ｂ)を内蔵する一個の補助容器(Ｃ)を構成させるとともに、シール筒部(６０)の下端から胴部(４)内面に接する拡径筒部(６２)を延設し、この拡径筒部(６２)と胴部(４)との間に上述の回り留め手段(Ｔ)を形成したことを特徴とする、請求項２に記載の２剤混合容器。
【請求項４】
上記摺動底部(５０)の拡径筒部(６２)の上端には、上記固定底部(４２)の外筒部(４４)の下端を係止させており、
かつ上記胴部(４)の下部内面には、上記外筒部(４４)の上端を係止可能な下向き段部(Ｓ)を形成するとともに、下向き段部(Ｓ)へ外筒部(４４)が係止した状態で、上記下向き段部(Ｓ)上方の胴部分に圧接するストッパ(４９)を、上記固定底部(４２)の上面外部に付設したことを特徴とする、請求項３に記載の２剤混合容器。
【請求項５】
上記リング状栓板部(５８)の下面から第１螺筒部(６６)を垂下したことを特徴とする、請求項２から請求項４記載の２剤混合容器。
【発明の詳細な説明】
【技術分野】
【０００１】
本発明は、２剤混合容器に関する。
【背景技術】
【０００２】
この種容器として、容器体の内部を２室に仕切って各室に異なる薬剤をそれぞれ収納しかつ一定の操作により仕切りを外して２室を連通させ、混合させるものが知られている。例えば特許文献１の容器は、容器体の胴部の上端開口にトリガー式液体吐出装置を装着するとともに、この吐出装置から胴部の底部側へ液体吸上げ管を垂下した液体吐出容器において、胴部の下半部を形成する大径周壁部から、上内方へ傾斜する段差を介して、胴部上半部である小径周壁部を形成するとともに、上記液体吸上げ管に付設して小径周壁部の下端部を閉塞する仕切り板を設けている。胴部全体は弾性材料で形成されており、容器の上部を押し下げることで、上記段差が下内方への傾斜状態へと弾性変形し、仕切り板が小径周壁部の下端から下方へ離脱し、２室が連通して２剤が混合するように構成している。
【先行技術文献】
【特許文献】
【０００３】
【特許文献１】特開平９−２５４９９０
【発明の概要】
【発明が解決しようとする課題】
【０００４】
特許文献１の構成によれば、外部からの不意の衝撃、例えば容器を床に落としたときの衝撃により、胴部が変形して２剤が混合してしまう可能性がある。この問題を回避するために、出願人は、例えば容器体の下端開口の胴部の内部に異液収納用の２室に分ける上底板（固定板）及び下底板（可動板）を形成し、上底板の一部に開口する栓孔を閉じる栓棒を下底板から起立するとともに、基盤の外周部から起立する把持用筒部を胴部下部に回転自在に嵌合した基部材を設け、下底板から垂下する第１螺筒部と基盤から起立する第２螺筒部とを相互に螺合させ、基部材の回動により、下底板が螺上昇することで栓棒が栓孔から離脱し、上記２室が連通するようにするというアイディアに想到した（特願２０１３−１３８３０９）。しかしながら、このアイディアでは、容器を使い切る時点での上底板と上底板との間の内容物の残量をどうやって少なくするかという課題が残されていた。
【０００５】
本発明の第１の目的は、２剤を確実に分離収納することができかつ混合操作が容易である２剤混合容器を提供することである。
本発明の第２の目的は、廃棄するときの内容物の残量を少なくすることができる２剤混合容器を提案することである。
本発明の第３の目的は、底部材に基部材を組み付けた状態で容易に容器体に取り付けることができる２剤混合容器を提案することである。
【課題を解決するための手段】
【０００６】
第１の手段は、
下端開放の胴部４から口頸部６を起立した容器体２と、
上記口頸部６に装着された本体２０から胴部４下部へ吸い上げ管２５を垂下するとともに、本体２０からヘッド３０を起立した吐出装置１０と、
上記胴部４の下部内に液密に嵌合された底部材４０と、
基盤７０の外周部から起立した把持用筒部７２を上記胴部の下端部に回転自在に嵌合させた基部材６８と、
を具備し、かつ底部材４０上方の胴部分内に第１剤収納室Ａを形成しており、
その底部材４０は、固定底部４２と摺動底部５０とからなり、
固定底部４２は、上記胴部４の下部に固定した外筒部４４と、外筒部から上底板部４６を介して垂下した内筒部４８との間に、下面開放の第２剤収納室Ｂを有しており、
摺動底部５０は、上記内筒部４８の下端を閉塞する下底板部５２と、下底板部の外縁から延出して外筒部４４内面又は胴部４内面に液密に接するとともに上記第２剤収納室の下面を閉塞する環状栓部５６とを有し、かつ胴部４に対する摺動底部５０の回り留め手段Ｔを設け、
上記摺動底部５０から垂下する第１螺筒部６６と、上記基盤７０から起立する第２螺筒部７４とを、第１螺筒部６６の下降余地Ｌｄを存して相互に係合させ、胴部４に対して基部材６８を回転させたときに、固定底部４２に対して摺動底部５０が螺下降して第２剤収納室Ｂと第１剤収納室Ａとが連通する。
【０００７】
本手段は、図１に示すように、胴部４内に底部材４０を嵌合している。底部材４０は、胴部４の下部内に固定された固定底部４２内に下面開放の第２剤収納室Ｂを形成し、この第２剤収納室の下面を、摺動底部５０の外周部に形成する環状栓部５６で閉栓し、基部材６８の基盤７０から起立する第２螺筒部７４と、摺動底部５０から垂下する第１螺筒部６６とを相互に螺合させている。摺動底部５０は胴部４に対して回り留めする。上記基部材６８を胴部４に対して回動させることで、図３の如く、摺動底部５０が螺下降して、第１剤収納室Ａと第２剤収納室Ｂとが連通する。
【０００８】
第２の手段は、第１の手段を有し、かつ
上記環状栓部５６は、下底板部５２の外端から起立する連結筒部５４を介して外方突出するリング状栓板部５８で、第２剤収納室Ｂの下面を離脱可能に閉塞するとともに、その連結筒部５４を上記内筒部４８の外面に液密にかつ摺動可能に嵌合させており、
連結筒部５４乃至内筒部４８の各内面と下底板部５２の上面とで液溜め凹部Ｒを形成し、この液溜め凹部Ｒ内に上記吸い上げ管２５の先部を挿入させた。
【０００９】
本手段は、図１に示す如く、摺動底部５０の連結筒部５４乃至固定底部４２の内筒部４８の各内面と下底板部５２の上面とで液溜め凹部Ｒを形成し、この液溜め凹部Ｒ内に上記吸い上げ管２５の先部を挿入させている。２剤を混合させた後に混合液の吸い上げにより液面Ｅが吸い上げ管２５の先端まで下降したときに（図４参照）、基部材６８を逆方向へ回転させると、下底板部５２が上昇して、再び吸い上げ管２５からの吸い上げが可能となる（図５参照）。なお、図示例では、上底板部４６を、図２の如く、下内方へ傾斜したリング板部として、薬剤が液溜め凹部Ｒ内に集まり易くしている。
【００１０】
第３の手段は、第２の手段を有し、かつ
上記リング状栓板部５８の外端部に付設したシール筒６０を、上記外筒部４４の内面に一定の上下範囲で摺動可能に嵌着させることで、底部材４０及び基部材６８で、上記胴部４へ装着する前の状態において、第２剤収納室Ｂを内蔵する一個の補助容器Ｃを構成させるとともに、シール筒部６０の下端から胴部４内面に接する拡径筒部６２を延設し、この拡径筒部６２と胴部４との間に上述の回り留め手段Ｔを形成した。
【００１１】
本手段では、底部材４０と基部材６８とが、図７に示す如く、胴部４から分離した状態で密閉された一個の補助容器Ｃとして機能する構成を提案している。なお、説明の都合上図７は上下反転状態で描かれている。これについては後述する。上記密閉性を担保するために、図１に示すリング状栓板部５８の外端部に付設したシール筒部６０を、外筒部４４に摺動可能にかつ液密に嵌合させている。
【００１２】
第４の手段は、第３の手段を有し、かつ
上記摺動底部５０の拡径筒部６２の上端には、上記固定底部４２の外筒部４４の下端を係止させており、
かつ上記胴部４の下部内面には、上記外筒部４４の上端を係止可能な下向き段部Ｓを形成するとともに、下向き段部Ｓへ外筒部４４が係止した状態で、上記下向き段部Ｓ上方の胴部分に圧接するストッパ４９を、上記固定底部４２の上面外部に付設した。
【００１３】
本手段では、上記補助容器Ｃを胴部４に手際よく装着できる態様を提案する。具体的には、図２に示す如く、胴部４の下部内面に外筒部４４の上端部を係止するための下向き段部Ｓと、その係止状態で下向き段部上方の胴部分に圧接するストッパ４９とを設ける。これにより、容器体の胴部４に補助容器Ｃを装着する際に、第１螺筒部６６と第２螺筒部７４とを、ネジ形成箇所全体に亘って係合させた状態から、把持用筒部７２を胴部４下端部に嵌合させ、基部材６８を逆方向に回転させ、外筒部４４の上端が上記下向き段部Ｓに突き当たるまで第２螺筒部７４に対して第１螺筒部６６を螺上昇させることで、一定の下降余地Ｌｄが確保される。故に過剰に基部材を回転させすぎて第１螺筒部６６が第２螺筒部７４から螺脱することを防止できる。
【００１４】
第５の手段は、第２の手段から第４の手段のいずれかを有し、かつ
上記リング状栓板部５８の下面から第１螺筒部６６を垂下した。
【００１５】
本手段では、図１に示す如く、下底板部５２より高い位置にあるリング状栓板部５８の裏面から第１螺筒部６６を垂下している。第２螺筒部７４は、基盤７０のうち対応箇所から起立する。下底板部５２から第１螺筒部６６を垂下する場合と比較して、ネジ形成代を確保しつつ、容器全体の長さを徒に長くならないようにすることができる。
【発明の効果】
【００１６】
第１の手段に係る発明によれば、底部材４０は、胴部４の下部内に固定された固定底部４２内に下面開放の第２剤収納室Ｂを形成し、この第２剤収納室の下面を、摺動底部５０の外周部に形成する環状栓部５６で閉栓し、基部材６８の基盤７０から起立する第１螺筒部６６と、摺動底部５０から起立する第２螺筒部７４とを相互に螺合させるとともに、摺動底部５０を胴部４に対して回り止めしたから、基部材６８を順方向に回転させることで２剤を容易に混合できるとともに、不意の衝撃によっても第１剤収納室Ａ及び第２剤収納室Ｂの仕切りが解除されて２剤が混合することがない。
第２の手段に係る発明によれば、上記摺動底部５０の連結筒部５４の内面及び固定底部４２の内筒部４８の内面と下底板部５２の上面とで液溜め凹部Ｒを形成し、この液溜め凹部Ｒ内に吸い上げ管２５の先部を突入させたから、内容物の吸上げにより混合剤の液面が吸い上げ管２５の先端（下端）に達したときに、基部材６８を逆方向に回転させることで、下底板部５２を上昇させて、再び内容物を吸い上げることができ、残量を少なくすることができる。
第３の手段に係る発明によれば、リング状栓板部５８の外端部に付設したシール筒部６０が固定底部４２の外筒部４４の内面に液密にかつ摺動可能に接するようにしたから、一個の補助容器Ｃとして第２剤収納室Ｂからの液漏れを防止できる。
第４の手段に係る発明によれば、胴部４の下部内面に外筒部４４の上端部を係止するための下向き段部Ｓと、その係止状態で下向き段部上方の胴部分に圧接するストッパ４９とを設けたから、上記下向き段部Ｓに外筒部４４が突き当たるまで摺動底部５０を基部材６８に対して螺上昇させることで、補助容器Ｃのセットが可能となる。
第５の手段に係る発明によれば、下底板部５２より高い位置にあるリング状栓板部５８の下面から第１螺筒部６６を垂下したから、容器全体の長さを徒に長くすることなく、十分にネジ形成代を確保することができる。
【図面の簡単な説明】
【００１７】
【図１】本発明の第１実施形態に係る２剤混合容器の半縦断面図である。
【図２】図１の容器の要部縦断面図である。
【図３】図１の容器の摺動底部を下降した状態の縦断面図である。
【図４】図３の状態から液面が吸い上げ口まで下降した状態の縦断面図である。
【図５】図４の状態から摺動底部を再上昇させた状態の縦断面図である。
【図６】図１の２剤混合容器のうちの補助容器を、上下反転しかつ分離した状態で示す縦断面図である。
【図７】図６の補助容器を、上下反転しかつ結合状態で示す縦断面図である。
【図８】図６の補助容器を、成立状態に戻し、かつ容器体の胴部へ挿入する段階を示す図である。
【図９】図８の段階から、上記補助容器を容器体の胴部へ挿入する段階を示す図である。
【発明を実施するための最良の形態】
【００１８】
図１から図９は、本発明の第１の実施形態に係る２剤混合容器を示している。この２剤混合容器は、容器体２と、吐出装置１０と、オーバーキャップ３４と、底部材４０と、基部材６８とで構成されている。これら各部材は、たとえば剛性樹脂や金属で形成することができる。
【００１９】
容器体２は、下面開放の胴部４から肩部を介して口頸部６を起立している。また胴部４外面下端部を小外径部４ａに形成している。また胴部４の内面下部には下向き段部Ｓを周設して、この下向き段部Ｓに後述の固定底部４２を係止できるように形成している。図示例では、下向き段部Ｓより上方の胴部分を、下向き段部Ｓ下方の胴部分に比べて小内径に形成しているが、固定底部４２を係止することができればどのような構造でも構わない。
【００２０】
吐出装置１０は、装着筒部材１２と、ポンプ本体２０とで構成されている。装着筒部材１２は、上記口頸部６の外面に嵌合（図示例では螺合）された装着筒部１４と、装着筒部１４の上端に付設された内向きフランジ１６とを有し、この内向きフランジ１６と上記口頸部６との間にポンプ本体２０の鍔部２４及びパッキン１８を挟持することが可能に形成されている。なお、上記内向きフランジ１６の外周部上面からはガイド筒部１７が起立されている。ガイド筒部１７の内側には、第２縦溝１７ａが縦設されている。
【００２１】
上記ポンプ本体２０は、上記鍔部２４を有するシリンダ２２を有し、このシリンダ２２から垂下する吸い上げ管２５の下端に吸い上げ口２６を開口するとともに、シリンダ２２の内部を上方付勢されて昇降する筒状ピストン（図示せず）から起立するステム２８を起立し、このステムの上部にノズル３２付きの押下げヘッド３０を付設してなる。図示例では、押下げヘッド３０の外面下端に付設した第２係合突部３０ａを、上記第２縦溝１７ａ内に挿入して、ノズル３２の開口方向を規制している。上記シリンダ２２は、容器体２内に挿入された状態で上記装着筒部１４により口頸部６に固定される。図示していないが、吐出装置１０は、押下げヘッド３０の上昇によりシリンダ２２内へ吸い込み、かつ押下げヘッド３０の押下げにより、シリンダ２２内の液体が第２逆止弁を介してノズル３２から吐出されるように設ける。
【００２２】
オーバーキャップ３４は、上記装着筒部１４の外面に嵌合されている。
【００２３】
底部材４０は、固定底部４２と、摺動底部５０とで構成されている。そして底部材４０の上面と、底部材上方の胴部分内面とで第１剤収納室Ａが形成されている。
【００２４】
上記固定底部４２は、胴部４の下部に嵌合させた外筒部４４と、外筒部４４の上端から下内方へ突出する上底板部４６と、上底板部４６の内端から垂下する内筒部４８とを有しており、かつ上底板部４６の上面にストッパ４９を付設している。そして下向き段差Ｓ下方の胴部分に外筒部４４を嵌合し、外筒部４４の上端を下向き段差Ｓに突き当てるとともに、下向き段差Ｓ上方の胴部分にストッパ４９を圧接することで、外筒部４４を胴部４に対して固定している。この作用に関してはさらに後述する。図示例では、上記上底板部４６を、下内方への傾斜リング板としているが、必ずしもこの構造には限定されない。
【００２５】
上記外筒部４４と内筒部４８との間には、下面開放でリング状の第２剤収納室Ｂが形成されている。
【００２６】
上記摺動底部５０は、下底板部５２と、連結筒部５４と、環状栓部５６と、第１螺筒部６６とを有する。
【００２７】
上記下底板部５２は、上記内筒部４８の下面を覆っており、図示例において、中央部５２ａと、この中央部から上外方へ斜めに突出する外周部５２ｂとからなり、液体が中央部５２ａに集まるようにしている。もっともこの構成は適宜変更することができる。
【００２８】
上記連結筒部５４は、下底板部５２の外端部から起立しており、上記内筒部４８の下部外面に液密に嵌合している。内筒部４８に対して連結筒部５４が密嵌する長さ（シール代ＬＳという）は、後述の第１螺筒部６６が第２螺筒部７４に対して下降する余地（下降余裕Ｌｄという）よりも小さくする。なお、連結筒部５４及び内筒部４８の各内面と下底板部５２の上面とで液溜め凹部Ｒを形成している。
【００２９】
上記環状栓部５６は、連結筒部５４の上端から外方へ延設しており、上記第２剤収納室Ｂの下面を離脱可能に閉栓している。環状栓部５６は、離脱状態では、第１剤収納室Ａ及び第２剤収納室Ｂを相互に連通させるが、これら両室から摺動底部５０下方の空間への液漏れは阻止するように形成している。図示例では、環状栓体５６は、外筒部４４の内面に液密に接しており、この構造によれば、底部材４０が単独で或いは基部材６８とともに、第２剤収納室を内蔵する一つの密閉容器（図７参照）として機能するように設計することができる。しかし、そのような設計とする必要がないときには、環状栓体５６を、外筒部４４の内面に代えて胴部４内面に液密に嵌合しても構わない。図示例の環状栓体５６は、リング状栓板部５８と、シール筒部６０とを有している。
【００３０】
上記リング状栓板部５８は、上記連結筒部５４の上端部から外筒部４４へ側外方に突出している。図示例では、水平板状であるが、その形状は適宜変更することができる。
【００３１】
上記シール筒部６０は、上記リング状栓板部５８の外端に付設され、上記外筒部４４の内面に液密にかつ摺動可能に嵌合している。好適な図示例では、シール筒部６０の上半部６０ａをリング状栓板部５８の外端部から起立するとともに、シール筒部６０の下半部６０ｂを当該外端部から垂下している。もっともこの構造は適宜変更することができる。
【００３２】
また上記シール筒部６０の下半部６０ｂの下端から拡径筒部６２を下外方へ延設して、胴部４の下部内面に嵌合している。この拡径筒部６２の上面には外筒部４２の下端部を係止している。
【００３３】
なお、摺動底部５０には、胴部４に対する回り留め手段Ｔを設ける。好適な図示例では、上記拡径筒部６２の外面には第１係合突部６４を付設し、この第１係合突部６４を上記第１縦溝５に嵌合することで、回り留め手段Ｔとしている。もっとも、この構造に代えて、胴部４の下部内面に係合突部を、拡径筒部６２に当該係合突部と係合する縦溝をそれぞれ形成してもよい。さらに回り留め手段Ｔは、胴部４と固定底部との適所との間、及び、固定底部と摺動底部との適所にそれぞれ設けても構わない。
【００３４】
基部材６８は、基盤７０の外周部から起立する把持用筒部７２を胴部４の小外径部４ａに回転可能に嵌合させている。
【００３５】
そして摺動底部５０の裏面から第１螺筒部６６を垂下するとともに、基盤７０の上面から第２螺筒部７４を起立している。第１螺筒部６６の下部は第２螺筒部７４の上部と螺合させており、基部材６８を一の方向（本明細書において「順方向」という）に回転させることにより、摺動底部５０を下降させることができるように形成する。
【００３６】
上記構成によれば、図１の状態で固定底部４２の内筒部４８に摺動底部５０の連結筒部５４が液密に嵌合しているので、第２剤収納室Ｂは第１剤収納室Ａから遮蔽されている。基部材６８を順方向に回転すると、摺動底部５０が螺下降することで、図３に示す如く、連結筒部５４が内筒部４８から離脱し、第１剤収納室Ａと第２剤収納室Ｂとが連通する。ここで容器を振ることで第１  剤と第２剤とを十分に混合させることができる。しかるのちに押下げヘッド３０を押し下げて混合液を吸い上げ管２５の吸い上げ口２６から吸い上げ、ノズル３２から吐出することができる。
【００３７】
吐出操作を繰り返すと混合液の液面Ｅが下降していく。本発明の構成では、残り少なくなった液体は底部材４０の液溜め凹部Ｒ内に集まるので、残量がかなり少なくなっても液溜め凹部Ｒ内に挿入した吸い上げ管２５を経由して液体を吸い上げることができるが、図４のように吸い上げ管２５の吸い上げ口２６まで液面Ｅが下がったときには、このままでは液体を吸い上げることができない。この場合には、基部材６８を逆方向に回転させると、摺動底部５０が螺上昇し、これにより下底板部５２も上昇する。これに伴い、図５に示す如く液溜め凹部Ｒ内の液面Ｅを吸い上げ口２６の位置よりも上昇させることができるので、液体の残量を極めて少なくすることができる。
【００３８】
図６から図９に基づいて、本実施形態の好適な実施例を説明する。この実施例は、上記２剤混合容器のうち底部材４０及び基部材６８を、第２剤収納室Ｂを内蔵する、一個の密閉された補助容器Ｃとして、一体的に胴部４に装着する取り付け手順に関するものである。
【００３９】
上記補助容器Ｃ内に第２剤を充填するときには、まず底部材４０の固定底部４２と摺動底部５０とを分離して、この摺動底部５０のみを基部材６８に組み付けておく。この際に摺動底部５０の第１螺筒部６６は基部材６８の第２螺筒部７４にネジ形成代の全長に亘って螺合させるものとする。基部材６８に摺動底部５０を組み付けたものと、固定底部４２とを、それぞれ図６に示すように上下反転させ、固定底部４２の第２剤収納室Ｂに第２剤を充填する。この状態で基部材６８とともに摺動底部５０を、固定底部４に組み付ける（図７参照）。これにより、補助容器Ｃの組立が完了する。補助容器Ｃを成立状態に戻し、胴部４の下部を、図８に示すように補助容器Ｃの把持用筒部７２と外筒部４４との間隙に向かい合わせ、第１係合突部６４が第１縦溝５内に係合するように位置合わせして、上記間隙内に胴部４の下部を嵌着させる（図９参照）。
【００４０】
図９の状態から、基部材６８を逆方向に回転させると、第２螺筒部７４に対して第１螺筒部６６を含む摺動底部５０が螺上昇し、外筒部４４が下向き段差Ｓに突き当たることで、一定の下降余裕Ｌｄが確保され、ストッパ４９が下向き段差Ｓ上方の胴部分に圧接される。
【符号の説明】
【００４１】
２…容器体  ４…胴部  ４ａ…小外径部  ５…第１縦溝  ６…口頸部  
１０…吐出装置  １２…装着筒部材  １４…装着筒部  １６…内向きフランジ
１７…ガイド筒部  １７ａ…第２縦溝  １８…パッキン  ２０…本体（ポンプ本体）
２２…シリンダ
２４…鍔部  ２５…吸い上げ管  ２６…吸い上げ口  ２８…ステム
３０…ヘッド（押下げヘッド）  ３０ａ…第２係合突部  ３２…ノズル
３４…オーバーキャップ
４０…底部材  ４２…固定底部  ４４…外筒部  ４６…上底板部  ４８…内筒部
４９…ストッパ  
５０…摺動底部  ５２…下底板部  ５２ａ…中央部  ５２ｂ…外周部
５４…連結部  ５６…環状栓部  ５８…リング状栓板部  ６０…シール筒部
６２…拡径筒部  ６４…第１係合突部  ６６…第１螺筒部
６８…基部材  ７０…基盤  ７２…把持用筒部  ７４…第２螺筒部
Ａ…第１剤収納室  Ｂ…第２剤収納室  Ｃ…補助容器  Ｅ…液面
Ｌｄ…下降余裕  ＬＳ…シール代    ＬＮ…ネジ形成代
Ｒ…液溜め凹部  Ｓ…下向き段差  Ｔ…回り留め手段
【図１】
2015030477.tif 000003
【図２】
2015030477.tif 000004
【図３】
2015030477.tif 000005
【図４】
2015030477.tif 000006
【図５】
2015030477.tif 000007
【図６】
2015030477.tif 000008
【図７】
2015030477.tif 000009
【図８】
2015030477.tif 000010
【図９】
2015030477.tif 000011